(57)【要約】【課題】  画像形成装置間での設定値セットの転送を短時間で実行する。【解決手段】  画像形成装置１で保持される設定値セットは、画像形成装置の機種に依存しない設定項目の設定値であるコアデータと、コアデータ以外の設定項目の設定値であるノンコアデータとを有する。端末装置４は、画像形成装置１の設定値セットにおけるコアデータをそのまま画像形成装置３の設定値セットのコアデータとして書き込み、画像形成装置１，３が同一機種である場合、画像形成装置１の設定値セットにおけるノンコアデータをそのまま画像形成装置３の設定値セットのノンコアデータとして書き込み、画像形成装置１，３が同一機種ではない場合、コアデータの設定項目以外の、画像形成装置３の有する設定項目の値を有するノンコアデータを、画像形成装置３の設定値セットのノンコアデータとして書き込む。【選択図】  図１
2011172116.tif 000002
【特許請求の範囲】
【請求項１】
複数の設定項目に対する設定値セットを保持し、前記設定値セットが選択されると、前記複数の設定項目の値を、選択された前記設定値セットにまとめて変更する第１の画像形成装置と、
複数の設定項目に対する設定値セットを保持可能な第２の画像形成装置と、
前記第１の画像形成装置から前記設定値セットを取得し、取得した前記設定値セットを前記第２の画像形成装置へ書き込む端末装置とを備え、
前記設定値セットは、画像形成装置の機種に依存しない設定項目の設定値であるコアデータと、前記コアデータ以外の設定項目の設定値であるノンコアデータとを有し、
前記端末装置は、前記第１の画像形成装置の前記設定値セットにおけるコアデータをそのまま前記第２の画像形成装置の前記設定値セットのコアデータとして書き込み、前記第１の画像形成装置の機種と前記第２の画像形成装置の機種とが同一である場合には、前記第１の画像形成装置の前記設定値セットにおけるノンコアデータをそのまま前記第２の画像形成装置の前記設定値セットのノンコアデータとして書き込み、前記第１の画像形成装置の機種と前記第２の画像形成装置の機種とが同一ではない場合には、前記コアデータの設定項目以外の、前記第２の画像形成装置の有する設定項目の値を有するノンコアデータを、前記第２の画像形成装置の前記設定値セットのノンコアデータとして書き込むこと、
を特徴とする画像形成システム。
【請求項２】
コンピュータに、
複数の設定項目に対する設定値セットを保持し、前記設定値セットが選択されると、前記複数の設定項目の値を、選択された前記設定値セットにまとめて変更する第１の画像形成装置から、前記設定値セットを取得するステップと、
前記設定値セットのうちの、画像形成装置の機種に依存しない設定項目の設定値であるコアデータを、複数の設定項目に対する設定値セットを保持可能な第２の画像形成装置の設定値セットのコアデータとしてそのまま書き込むステップと、
前記第１の画像形成装置の機種と前記第２の画像形成装置の機種とが同一である場合には、前記第１の画像形成装置の前記設定値セットにおける前記コアデータ以外の設定項目の設定値であるノンコアデータを、そのまま前記第２の画像形成装置の前記設定値セットのノンコアデータとして書き込むステップと、
前記第１の画像形成装置の機種と前記第２の画像形成装置の機種とが同一ではない場合には、前記コアデータの設定項目以外の、前記第２の画像形成装置の有する設定項目の値を有するノンコアデータを、前記第２の画像形成装置の前記設定値セットのノンコアデータとして書き込むステップと、
を実行させることを特徴とする設定値セット転送プログラム。
【請求項３】
前記第１の画像形成装置の機種と前記第２の画像形成装置の機種とが同一ではない場合、前記ノンコアデータの値として、前記第２の画像形成装置におけるデフォルト値を使用することを特徴とする請求項２記載の設定値セット転送プログラム。
【請求項４】
前記第１の画像形成装置の機種と前記第２の画像形成装置の機種とが同一ではない場合、前記第２の画像形成装置から前記ノンコアデータの設定項目リストを取得し、その設定項目リストについての前記ノンコアデータの値として、ユーザにより指定された値を使用することを特徴とする請求項２記載の設定値セット転送プログラム。
【請求項５】
前記第１の画像形成装置から設定値セットのリストを取得し、そのリストから転送すべき前記設定値セットを選択し、
前記第２の画像形成装置から設定値セットの書込先リストを取得し、その書込先リストから前記設定値セットの書込先を選択すること、
を特徴とする請求項２記載の設定値セット転送プログラム。
【請求項６】
前記第１の画像形成装置の機種と前記第２の画像形成装置の機種とが同一であっても、前記第１の画像形成装置の有するオプション機能を前記第２の画像形成装置が有していない場合には、前記第１の画像形成装置の機種と前記第２の画像形成装置の機種とが同一ではないと見做すことを特徴とする請求項２記載の設定値セット転送プログラム。
【請求項７】
複数の設定項目に対する設定値セットを保持し、前記設定値セットが選択されると、前記複数の設定項目の値を、選択された前記設定値セットにまとめて変更する画像形成装置において、
画像形成装置の機種に依存しない設定項目の設定値であるコアデータ、および前記コアデータ以外の設定項目の設定値であるノンコアデータとを有する設定値セットを記憶する記憶装置と、
複数の設定項目に対する設定値セットを保持可能な転送先画像形成装置へ設定値セットのコアデータおよびノンコアデータを送信し書き込む設定値セット送信部と、
前記設定値セット送信部により、前記記憶装置における前記設定値セットのうちのコアデータを、前記転送先画像形成装置の設定値セットのコアデータとしてそのまま書き込ませ、当該画像形成装置の機種と前記転送先画像形成装置の機種とが同一である場合には、当該画像形成装置の前記設定値セットにおけるノンコアデータを、そのまま前記転送先画像形成装置の前記設定値セットのノンコアデータとして書き込ませ、当該画像形成装置の機種と前記転送先画像形成装置の機種とが同一ではない場合には、前記コアデータの設定項目以外の、前記転送先画像形成装置の有する設定項目の値を有するノンコアデータを、前記転送先画像形成装置の前記設定値セットのノンコアデータとして書き込ませる転送管理部と、
を備えることを特徴とする画像形成装置。
【請求項８】
前記転送管理部は、当該画像形成装置の機種と前記転送先画像形成装置の機種とが同一ではない場合、前記ノンコアデータの値として、前記転送先画像形成装置におけるデフォルト値を使用することを特徴とする請求項７記載の画像形成装置。
【請求項９】
前記転送管理部は、当該画像形成装置の機種と前記転送先画像形成装置の機種とが同一ではない場合、前記転送先画像形成装置から前記ノンコアデータの設定項目リストを取得し、その設定項目リストについての前記ノンコアデータの値として、ユーザにより指定された値を使用することを特徴とする請求項７記載の画像形成装置。
【請求項１０】
前記転送管理部は、当該画像形成装置に設定されている設定値セットのリストから転送すべき前記設定値セットを選択し、前記転送先画像形成装置から設定値セットの書込先リストを取得し、その書込先リストから前記設定値セットの書込先を選択することを特徴とする請求項７記載の画像形成装置。
【請求項１１】
前記転送管理部は、当該画像形成装置の機種と前記転送先画像形成装置の機種とが同一であっても、当該画像形成装置の有するオプション機能を前記転送先画像形成装置が有していない場合には、当該画像形成装置の機種と前記転送先画像形成装置の機種とが同一ではないと見做すことを特徴とする請求項７記載の画像形成装置。
【請求項１２】
複数の設定項目に対する設定値セットを保持可能であって、保持している前記設定値セットが選択されると、前記複数の設定項目の値を、選択された前記設定値セットにまとめて変更する画像形成装置において、
画像形成装置の機種に依存しない設定項目の設定値であるコアデータ、および前記コアデータ以外の設定項目の設定値であるノンコアデータとを有する設定値セットを記憶するための記憶装置と、
前記を保持している転送元画像形成装置から前記設定値セットを取得する設定値セット取得部と、
取得された前記設定値セットのうちのコアデータを、前記記憶装置における１つの設定値セットのコアデータとしてそのまま書き込み、当該画像形成装置の機種と前記転送元画像形成装置の機種とが同一である場合には、前記転送元画像形成装置の前記設定値セットにおけるノンコアデータを、前記記憶装置における前記設定値セットのノンコアデータとしてそのまま書き込み、当該画像形成装置の機種と前記転送元画像形成装置の機種とが同一ではない場合には、前記コアデータの設定項目以外の、当該画像形成装置の有する設定項目の値を有するノンコアデータを、前記記憶装置における前記設定値セットのノンコアデータとして書き込む転送管理部と、
を備えることを特徴とする画像形成装置。
【請求項１３】
前記転送管理部は、当該画像形成装置の機種と前記転送元画像形成装置の機種とが同一ではない場合、前記ノンコアデータの値として、当該画像形成装置におけるデフォルト値を使用することを特徴とする請求項１２記載の画像形成装置。
【請求項１４】
前記転送管理部は、当該画像形成装置の機種と前記転送元画像形成装置の機種とが同一ではない場合、前記ノンコアデータの値として、ユーザにより指定された値を使用することを特徴とする請求項１２記載の画像形成装置。
【請求項１５】
前記転送管理部は、前記転送元画像形成装置に設定されている設定値セットのリストから転送すべき前記設定値セットを選択し、当該画像形成装置から設定値セットの書込先リストを取得し、その書込先リストから前記設定値セットの書込先を選択することを特徴とする請求項１２記載の画像形成装置。
【請求項１６】
前記転送管理部は、当該画像形成装置の機種と前記転送元画像形成装置の機種とが同一であっても、前記転送元画像形成装置の有するオプション機能を当該画像形成装置が有していない場合には、当該画像形成装置の機種と前記転送元画像形成装置の機種とが同一ではないと見做すことを特徴とする請求項１２記載の画像形成装置。
【発明の詳細な説明】
【技術分野】
【０００１】
本発明は、画像形成システム、設定値セット転送プログラム、および画像形成装置に関するものである。
【背景技術】
【０００２】
複合機などの画像形成装置は、コピー、ファクシミリ送信などの機能を有する。これらの各機能について多数の設定項目が存在する。このため、ある画像形成装置は、それらの設定項目に対する設定値の組み合わせを設定値セットとして保持し、その設定値セットをユーザ操作に基づいて呼び出して、設定値セットによりそれらの設定項目に値をまとめて設定するプログラム機能を有する。これにより、ユーザは、複雑な設定値の組み合わせを１つの設定値セットととして登録し、後で簡単に呼び出すことができる。
【０００３】
そして、ある画像形成装置は、このような設定値セットを他の画像形成装置から取得して登録する機能を有する（例えば特許文献１参照）。
【先行技術文献】
【特許文献】
【０００４】
【特許文献１】特開２００５−３４９６５７号公報
【発明の概要】
【発明が解決しようとする課題】
【０００５】
上述の特許文献１の技術を使用した場合、画像形成装置において、処理項目ごとに１つずつ、その項目についての処理が可能か否かが判定され、取得された設定値セットのうち、処理が可能である項目についての値のみ使用される。
【０００６】
通常、画像形成装置においてユーザが値を設定可能な設定項目の数は数百程度あるいはそれ以上存在する。このため、上述の特許文献１の技術のように、処理項目ごとに１つずつ、その項目についての処理が可能か否かを判定すると、画像形成装置間での設定値セットの転送に長い時間がかかってしまう。
【０００７】
本発明は、上記の問題に鑑みてなされたものであり、画像形成装置間での設定値セットの転送を短時間で実行する画像形成システム、設定値セット転送プログラムおよび画像形成装置を得ることを目的とする。
【課題を解決するための手段】
【０００８】
上記の課題を解決するために、本発明では以下のようにした。
【０００９】
本発明に係る画像形成システムは、複数の設定項目に対する設定値セットを保持し、設定値セットが選択されると、複数の設定項目の値を、選択された設定値セットにまとめて変更する第１の画像形成装置と、複数の設定項目に対する設定値セットを保持可能な第２の画像形成装置と、第１の画像形成装置から設定値セットを取得し、取得した設定値セットを第２の画像形成装置へ書き込む端末装置とを備える。設定値セットは、画像形成装置の機種に依存しない設定項目の設定値であるコアデータと、コアデータ以外の設定項目の設定値であるノンコアデータとを有する。そして、端末装置は、第１の画像形成装置の設定値セットにおけるコアデータをそのまま第２の画像形成装置の設定値セットのコアデータとして書き込み、第１の画像形成装置の機種と第２の画像形成装置の機種とが同一である場合には、第１の画像形成装置の設定値セットにおけるノンコアデータをそのまま第２の画像形成装置の設定値セットのノンコアデータとして書き込み、第１の画像形成装置の機種と第２の画像形成装置の機種とが同一ではない場合には、コアデータの設定項目以外の、第２の画像形成装置の有する設定項目の値を有するノンコアデータを、第２の画像形成装置の設定値セットのノンコアデータとして書き込む。
【００１０】
これにより、コアデータについてはただちに転送先の画像形成装置へ書き込まれるため、画像形成装置間での設定値セットの転送を短時間で実行することができる。
【００１１】
本発明に係る設定値セット転送プログラムは、コンピュータに、（ａ）複数の設定項目に対する設定値セットを保持し、設定値セットが選択されると、複数の設定項目の値を、選択された設定値セットにまとめて変更する第１の画像形成装置から、設定値セットを取得するステップと、（ｂ）設定値セットのうちの、画像形成装置の機種に依存しない設定項目の設定値であるコアデータを、複数の設定項目に対する設定値セットを保持可能な第２の画像形成装置の設定値セットのコアデータとしてそのまま書き込むステップと、（ｃ１）第１の画像形成装置の機種と第２の画像形成装置の機種とが同一である場合には、第１の画像形成装置の設定値セットにおけるコアデータ以外の設定項目の設定値であるノンコアデータを、そのまま第２の画像形成装置の設定値セットのノンコアデータとして書き込むステップと、（ｃ２）第１の画像形成装置の機種と第２の画像形成装置の機種とが同一ではない場合には、コアデータの設定項目以外の、第２の画像形成装置の有する設定項目の値を有するノンコアデータを、第２の画像形成装置の設定値セットのノンコアデータとして書き込むステップとを実行させる。
【００１２】
これにより、コアデータについてはただちに転送先の画像形成装置へ書き込まれるため、画像形成装置間での設定値セットの転送を短時間で実行することができる。
【００１３】
本発明に係る設定値セット転送プログラムは、上記の設定値セット転送プログラムに加え、次のようにしてもよい。この場合、第１の画像形成装置の機種と第２の画像形成装置の機種とが同一ではない場合、ノンコアデータの値として、第２の画像形成装置におけるデフォルト値を使用する。
【００１４】
本発明に係る設定値セット転送プログラムは、上記の設定値セット転送プログラムのいずれかに加え、次のようにしてもよい。この場合、第１の画像形成装置の機種と第２の画像形成装置の機種とが同一ではない場合、第２の画像形成装置からノンコアデータの設定項目リストを取得し、その設定項目リストについてのノンコアデータの値として、ユーザにより指定された値を使用する。
【００１５】
本発明に係る設定値セット転送プログラムは、上記の設定値セット転送プログラムのいずれかに加え、次のようにしてもよい。この場合、第１の画像形成装置から設定値セットのリストを取得し、そのリストから転送すべき設定値セットを選択し、第２の画像形成装置から設定値セットの書込先リストを取得し、その書込先リストから設定値セットの書込先を選択する。
【００１６】
これにより、転送元および転送先の画像形成装置において複数の設定値セットを保持可能である場合に、所望の設定値セットを、所望の書込先（例えば、所定数のナンバリングされたフィールドを有するリストにおける所望の番号のフィールド）へ転送させることができる。
【００１７】
本発明に係る設定値セット転送プログラムは、上記の設定値セット転送プログラムのいずれかに加え、次のようにしてもよい。この場合、第１の画像形成装置の機種と第２の画像形成装置の機種とが同一であっても、第１の画像形成装置の有するオプション機能を第２の画像形成装置が有していない場合には、第１の画像形成装置の機種と第２の画像形成装置の機種とが同一ではないと見做す。
【００１８】
これにより、オプション機能に関する設定項目の値がノンコアデータに含まれていても、設定値セットが適切に転送される。
【００１９】
本発明に係る画像形成装置は、画像形成装置の機種に依存しない設定項目の設定値であるコアデータ、およびコアデータ以外の設定項目の設定値であるノンコアデータとを有する設定値セットを記憶する記憶装置と、複数の設定項目に対する設定値セットを保持可能な転送先画像形成装置へ設定値セットのコアデータおよびノンコアデータを送信し書き込む設定値セット送信部と、設定値セット送信部により、記憶装置における設定値セットのうちのコアデータを、転送先画像形成装置の設定値セットのコアデータとしてそのまま書き込ませ、当該画像形成装置の機種と転送先画像形成装置の機種とが同一である場合には、当該画像形成装置の設定値セットにおけるノンコアデータを、そのまま転送先画像形成装置の設定値セットのノンコアデータとして書き込ませ、当該画像形成装置の機種と転送先画像形成装置の機種とが同一ではない場合には、コアデータの設定項目以外の、転送先画像形成装置の有する設定項目の値を有するノンコアデータを、転送先画像形成装置の設定値セットのノンコアデータとして書き込ませる転送管理部とを備える。
【００２０】
これにより、コアデータについてはただちに転送先の画像形成装置へ書き込まれるため、画像形成装置間での設定値セットの転送を短時間で実行することができる。
【００２１】
本発明に係る画像形成装置は、上記の画像形成装置に加え、次のようにしてもよい。この場合、転送管理部は、当該画像形成装置の機種と転送先画像形成装置の機種とが同一ではない場合、ノンコアデータの値として、転送先画像形成装置におけるデフォルト値を使用する。
【００２２】
本発明に係る画像形成装置は、上記の画像形成装置のいずれかに加え、次のようにしてもよい。この場合、転送管理部は、当該画像形成装置の機種と転送先画像形成装置の機種とが同一ではない場合、転送先画像形成装置からノンコアデータの設定項目リストを取得し、その設定項目リストについてのノンコアデータの値として、ユーザにより指定された値を使用する。
【００２３】
本発明に係る画像形成装置は、上記の画像形成装置のいずれかに加え、次のようにしてもよい。この場合、転送管理部は、当該画像形成装置に設定されている設定値セットのリストから転送すべき設定値セットを選択し、転送先画像形成装置から設定値セットの書込先リストを取得し、その書込先リストから設定値セットの書込先を選択する。
【００２４】
これにより、転送元および転送先の画像形成装置において複数の設定値セットを保持可能である場合に、所望の設定値セットを、所望の書込先（例えば、所定数のナンバリングされたフィールドを有するリストにおける所望の番号のフィールド）へ転送させることができる。
【００２５】
本発明に係る画像形成装置は、上記の画像形成装置のいずれかに加え、次のようにしてもよい。この場合、転送管理部は、当該画像形成装置の機種と転送先画像形成装置の機種とが同一であっても、当該画像形成装置の有するオプション機能を転送先画像形成装置が有していない場合には、当該画像形成装置の機種と転送先画像形成装置の機種とが同一ではないと見做す。
【００２６】
これにより、オプション機能に関する設定項目の値がノンコアデータに含まれていても、設定値セットが適切に転送される。
【００２７】
本発明に係る画像形成装置は、画像形成装置の機種に依存しない設定項目の設定値であるコアデータ、およびコアデータ以外の設定項目の設定値であるノンコアデータとを有する設定値セットを記憶するための記憶装置と、を保持している転送元画像形成装置から設定値セットを取得する設定値セット取得部と、取得された設定値セットのうちのコアデータを、記憶装置における１つの設定値セットのコアデータとしてそのまま書き込み、当該画像形成装置の機種と転送元画像形成装置の機種とが同一である場合には、転送元画像形成装置の設定値セットにおけるノンコアデータを、記憶装置における設定値セットのノンコアデータとしてそのまま書き込み、当該画像形成装置の機種と転送元画像形成装置の機種とが同一ではない場合には、コアデータの設定項目以外の、当該画像形成装置の有する設定項目の値を有するノンコアデータを、記憶装置における設定値セットのノンコアデータとして書き込む転送管理部とを備える。
【００２８】
これにより、コアデータについてはただちに書き込むため、画像形成装置間での設定値セットの転送を短時間で実行することができる。
【００２９】
本発明に係る画像形成装置は、上記の画像形成装置に加え、次のようにしてもよい。この場合、転送管理部は、当該画像形成装置の機種と転送元画像形成装置の機種とが同一ではない場合、ノンコアデータの値として、当該画像形成装置におけるデフォルト値を使用する。
【００３０】
本発明に係る画像形成装置は、上記の画像形成装置のいずれかに加え、次のようにしてもよい。この場合、転送管理部は、当該画像形成装置の機種と転送元画像形成装置の機種とが同一ではない場合、ノンコアデータの値として、ユーザにより指定された値を使用する。
【００３１】
本発明に係る画像形成装置は、上記の画像形成装置のいずれかに加え、次のようにしてもよい。この場合、転送管理部は、転送元画像形成装置に設定されている設定値セットのリストから転送すべき設定値セットを選択し、当該画像形成装置から設定値セットの書込先リストを取得し、その書込先リストから設定値セットの書込先を選択する。
【００３２】
これにより、転送元および転送先の画像形成装置において複数の設定値セットを保持可能である場合に、所望の設定値セットを、所望の書込先（例えば、所定数のナンバリングされたフィールドを有するリストにおける所望の番号のフィールド）へ転送させることができる。
【００３３】
本発明に係る画像形成装置は、上記の画像形成装置のいずれかに加え、次のようにしてもよい。この場合、転送管理部は、当該画像形成装置の機種と転送元画像形成装置の機種とが同一であっても、転送元画像形成装置の有するオプション機能を当該画像形成装置が有していない場合には、当該画像形成装置の機種と転送元画像形成装置の機種とが同一ではないと見做す。
【００３４】
これにより、オプション機能に関する設定項目の値がノンコアデータに含まれていても、設定値セットが適切に転送される。
【発明の効果】
【００３５】
本発明によれば、画像形成装置間での設定値セットの転送を短時間で実行することができる。
【図面の簡単な説明】
【００３６】
【図１】図１は、本発明の実施の形態１に係る画像形成システムの構成を示すブロック図である。
【図２】図２は、図１における画像形成装置の構成を示すブロック図である。
【図３】図３は、実施の形態１における設定値セットデータの構成を示す図である。
【図４】図４は、実施の形態１における、設定値セットのリストを表示するプログラムリスト画面の一例を示す図である。
【図５】図５は、図１における端末装置の構成を示すブロック図である。
【図６】図６は、実施の形態１における端末装置による設定値セットの転送を説明するフローチャートである。
【図７】図７は、実施の形態２に係る画像形成装置を含む画像形成システムの構成を示す図である。
【図８】図８は、実施の形態２に係る画像形成装置の構成を示す図である。
【図９】図９は、実施の形態３に係る画像形成装置を含む画像形成システムの構成を示す図である。
【図１０】図１０は、実施の形態３に係る画像形成装置の構成を示す図である。
【発明を実施するための形態】
【００３７】
以下、図に基づいて本発明の実施の形態を説明する。
【００３８】
実施の形態１．
【００３９】
図１は、本発明の実施の形態１に係る画像形成システムの構成を示すブロック図である。図１に示すシステムでは、画像形成装置１がネットワーク２に接続されており、別の画像形成装置３がそのネットワーク２に接続されている。さらに、端末装置４がネットワーク２に接続されている。画像形成装置１，３は、プリンタ、コピー機、複合機などといった装置である。
【００４０】
画像形成装置１は、複数の設定項目に対する設定値セットを保持し、ユーザ操作に基づいて設定値セットが選択されると、複数の設定項目の値を、選択された設定値セットにまとめて変更するプログラム機能を有する。また、画像形成装置３も、同様のプログラム機能を有する。画像形成装置１と画像形成装置３とは同一機種であってもよいし、同一機種ではなくてもよい。
【００４１】
端末装置４は、画像形成装置１，３と通信し、画像形成装置１から設定値セットを取得し、取得した設定値セットを画像形成装置３へ書き込む。
【００４２】
ここで、上記システムにおける画像形成装置１，３について説明する。
【００４３】
図２は、図１における画像形成装置１の構成を示すブロック図である。
【００４４】
この画像形成装置１は、プリンタ１１、スキャナ１２、ファクシミリ装置１３、操作パネル１４、ネットワークインタフェース１５、記憶装置１６、および演算処理装置１７を備える。
【００４５】
プリンタ１１は、印刷データに基づいて文書画像を印刷する内部装置である。スキャナ１２は、文書から文書画像を光学的に読み取り、文書画像の画像データを生成する内部装置である。ファクシミリ装置１３は、送信すべき文書データからファクシミリ信号を生成し送信するとともに、ファクシミリ信号を受信し文書データに変換する内部装置である。
【００４６】
また、操作パネル１４は、画像形成装置１の筐体表面に配置され、ユーザに対して各種情報を表示する表示装置と、ユーザ操作を検出する入力装置とを有する。表示装置としては例えば液晶ディスプレイが使用される。入力装置としては、キースイッチ、タッチパネルなどが使用される。
【００４７】
また、ネットワークインタフェース１５は、ネットワーク２に接続され、そのネットワーク２に接続された他の装置（端末装置４、画像形成装置３など）とデータ通信を行う回路である。ネットワークインタフェース１５は、ネットワーク通信の物理層として機能する。
【００４８】
また、記憶装置１６は、各種プログラムおよび／または各種データを格納可能な装置である。この実施の形態１では、記憶装置１６には、１または複数の設定値セットデータ２１、並びに設定値セットリスト２２が記憶される。
【００４９】
設定値セットデータ２１は、設定値セットの設定項目とその設定値との対応関係を示すデータである。
【００５０】
図３は、実施の形態１における設定値セットデータ２１の構成を示す図である。１つの設定値セットデータ２１は、ヘッダ４１、コアデータ４２、およびノンコアデータ４３を有する。ヘッダ４１は、機種名、型式などの画像形成装置１の機種識別情報を有し、さらに、フィニッシャの有無や追加アプリケーションの有無などを示すオプション機能情報を有する。コアデータ４２は、画像形成装置の機種に依存しない共通な設定項目の設定値を含む。ノンコアデータ４３は、コアデータ４２以外で、当該画像形成装置１の有する設定項目の設定値を含む。
【００５１】
コアデータ４２の設定項目としては、例えば、用紙サイズ設定、コピー部数、倍率設定、画質設定などが挙げられる。なお、設定項目自体が共通していても、設定可能な値が異なる場合には、ノンコアデータ４３の設定項目とする。
【００５２】
ノンコアデータ４３の設定項目としては、例えば、カラー／モノクロ設定、ページ集約設定、ソート／仕分け設定などが挙げられる。
【００５３】
なお、コアデータ４２およびノンコアデータ４３への分類は、当該システムで対応すべき画像形成装置の機種の範囲に応じて行えばよい。機種の範囲が広くなれば、コアデータ４２に分類される設定項目は比較的少なくなり、機種の範囲が狭くなれば、コアデータ４２に分類される設定項目は比較的多くなる。
【００５４】
設定値セットリスト２２は、記憶装置１６に記憶されている設定値セットデータ２１のリストである。例えば、設定値セットリスト２２は、プログラム番号１からプログラム番号１０までの登録フィールドを有する。登録時に、設定値セットデータ２１が、その１から１０までの番号のうち、空きの登録フィールドのいずれかに登録される。空きの登録フィールドが複数ある場合には、例えばユーザにより指定された番号の登録フィールドに、設定値セットデータ２１が登録される。
【００５５】
この設定値セットリスト２２は、設定値セットを呼び出す際などに使用される。操作パネル１４または図示せぬホスト装置における所定の操作が検出されると、制御部３２は、操作パネル１４または図示せぬホスト装置に、設定値セットリスト２２（つまり、プログラムリスト）を表示させる。図４は、実施の形態１における、設定値セットのリストを表示するプログラムリスト画面の一例を示す図である。このように、登録フィールドの番号順に、各番号の登録フィールドに登録されている設定値セットデータ２１に対応する選択ボタンが表示される。そして、ユーザによりいずれかの選択ボタンが押下されると、その操作が検出され、制御部３２は、その選択ボタンに対応する設定値セットデータ２１を読み出して、その設定値セットデータ２１で指定されている値を各設定項目に設定する。
【００５６】
また、演算処理装置１７は、ＣＰＵ（Central Processing Unit）、ＲＯＭ（Read Only Memory）、ＲＡＭ（Random Access Memory）などを有するコンピュータであり、ＲＯＭや記憶装置１６などからＲＡＭへプログラムをロードし、そのプログラムをＣＰＵで実行することにより、各種処理部を実現する。この実施の形態では、演算処理装置１７において、通信制御部３１、制御部３２、および設定値セットデータ生成部３３が実現される。
【００５７】
通信制御部３１は、ネットワークインタフェース１５を制御して、ネットワーク２に接続されている画像形成装置１，３と所定の通信プロトコルでデータ通信を行う処理部である。
【００５８】
制御部３２は、図示せぬホスト装置からネットワークインタフェース１５および通信処理部３１により受信された各種命令や、操作パネル１４で入力された各種命令に応じたデータ処理および／または内部装置（プリンタ１１、スキャナ１２、ファクシミリ装置１３、操作パネル１４、ネットワークインタフェース１５、記憶装置１６など）の制御を行う処理部である。
【００５９】
設定値セットデータ生成部３３は、ユーザにより所定の操作が操作パネル１４または図示せぬホスト装置に対して行われたことを検出すると、操作パネル１４または図示せぬホスト装置でユーザが値を設定可能な設定項目についての現在の設定値を特定し、その設定値の組み合わせを設定値セットデータ２１として記憶装置１６に格納するとともに、その設定値セットデータ２１を設定値セットリスト２２に登録する処理部である。
【００６０】
例えば、設定値セットリスト２２は、１から１０までの登録フィールドを有する。設定値セットデータ２１は、その１から１０までの番号のうち、空きの登録フィールドのいずれかに登録される。空きの登録フィールドが複数ある場合には、例えばユーザにより指定された番号の登録フィールドに、設定値セットデータ２１が登録される。なお、設定値セットデータ２１の登録時に、図４にように、プログラムリストを表示させ、ユーザに空きの登録フィールドを選択させるようにしてもよい。
【００６１】
画像形成装置１は、上述のような構成を有する。また、画像形成装置３も同様の構成を有する。画像形成装置１と画像形成装置３と同一機種である場合には、画像形成装置３は、画像形成装置１の有する設定項目と同一の設定項目を有する。一方、画像形成装置１と画像形成装置３と同一機種ではない場合には、画像形成装置３は、画像形成装置１の有する設定項目のいずれかの設定項目を有さないことがあるとともに、画像形成装置１の有する設定項目以外の設定項目を有することがある。
【００６２】
次に、端末装置４について説明する。
【００６３】
図５は、図１における端末装置４の構成を示すブロック図である。図５に示す端末装置４は、コンピュータを内蔵しており、各種プログラムを実行して演算や処理を実行する。端末装置４としては、例えばパーソナルコンピュータが使用される。
【００６４】
端末装置４において、表示装置５１は、操作画面などを表示する装置である。表示装置５１としては、例えば液晶ディスプレイが使用される。入力装置５２は、操作画面に対する操作を入力するための装置である。入力装置５２としては、例えばキーボードやマウスが使用される。より具体的には、図示せぬグラフィック回路が描画処理およびビデオ信号の出力を行い、表示装置５１は、そのビデオ信号に従って画面を表示する。また、図示せぬインタフェースが入力装置５２との間のデータの送受を行う。
【００６５】
また、ネットワークインタフェース５３は、ネットワーク２に接続され、データ通信を行う回路である。
【００６６】
記憶装置５４は、図示せぬオペレーティングシステム、各種プログラム、および各種データを格納する記録媒体を有する装置である。記憶装置５４としては、不揮発性半導体メモリ、ハードディスク駆動装置、ディスクアレイ装置などが使用される。
【００６７】
この実施の形態では、記憶装置５４には、設定値セット転送プログラム６１が記憶されている。
【００６８】
設定値セット転送プログラム６１は、ある画像形成装置（ここでは画像形成装置１）から設定値セットを取得し、その設定値セットに基づく設定値セットを別の画像形成装置（ここでは画像形成装置３）へ書き込むためのプログラムである。
【００６９】
なお、設定値セット転送プログラム６１を、ＣＤ−ＲＯＭ、ＤＶＤ−ＲＯＭなどの可搬性のある記録媒体に記録し、その記録媒体を配布可能としてもよい。その場合、その記録媒体から端末装置４へ設定値セット転送プログラム６１がインストールされる。
【００７０】
また、ＣＰＵ５５は、プログラムに記述された処理を実行する演算処理装置である。また、ＲＯＭ５６は、プログラムおよびデータを予め記憶した不揮発性のメモリである。また、ＲＡＭ５７は、プログラムを実行する際にそのプログラムおよびデータを一時的に記憶するメモリである。ＣＰＵ５５、ＲＯＭ５６およびＲＡＭ５７は、バスやコントローラチップを介して互いに接続されており、さらに、バスやコントロールチップを介して記憶装置５４、ネットワークインタフェース５３、表示装置５１のグラフィック回路、および入力装置５２のインタフェースに接続されている。
【００７１】
ＣＰＵ５５は、記憶装置５４またはＲＯＭ５６に格納されているプログラムをＲＡＭ５７にロードして実行する。これにより、プログラムに記述された処理を実行する処理部が実現される。
【００７２】
この実施の形態では、設定値セット転送プログラム６１が実行されることにより、転送管理部７１、設定値セット取得部７２、設定値セット編集部７３、および設定値セット送信部７４が実現される。
【００７３】
転送管理部７１は、画像形成装置１から画像形成装置３への設定値セットデータ２１の転送を管理する処理部である。
【００７４】
コアデータについては、転送管理部７１は、画像形成装置１の設定値セットにおけるコアデータ４２を、設定値セット送信部７４により、そのまま画像形成装置３の設定値セットのコアデータとして書き込ませる。
【００７５】
また、ノンコアデータについては、転送管理部７１は、画像形成装置１の機種と画像形成装置３の機種とが同一である場合には、設定値セット送信部７４により、その設定値セットにおけるノンコアデータ４３を、そのまま、上述のコアデータを書き込んだ画像形成装置３の設定値セットのノンコアデータとして画像形成装置３へ書き込ませる。一方、画像形成装置１の機種と画像形成装置３の機種とが同一ではない場合には、転送管理部７１は、設定値セット送信部７４により、コアデータの設定項目以外の、画像形成装置３の有する設定項目の値を有するノンコアデータを、上述のコアデータを書き込んだ画像形成装置３の設定値セットのノンコアデータとして書き込ませる。なお、転送管理部７１は、設定値セットのヘッダ４１から画像形成装置１の機種を特定し、また、画像形成装置３の制御部３２に問い合わせて画像形成装置１の機種を特定する。
【００７６】
設定値セット取得部７２は、画像形成装置１から、設定値セット（つまり、設定値セットデータ２１）を取得する処理部である。なお、設定値セット取得部７２は、ヘッダ４１とコアデータ４２とノンコアデータ４３とを別々に取得してもよいし、それらを一括してまとめて取得してもよい。
【００７７】
設定値セット編集部７３は、画像形成装置１の機種と画像形成装置３の機種とが同一ではない場合に、コアデータの設定項目以外の、画像形成装置３の有する設定項目の値を有するノンコアデータを生成する処理部である。その場合、設定値セット編集部７３は、ノンコアデータとともに画像形成装置３用のヘッダを生成する。
【００７８】
例えば、設定値セット編集部７３は、コアデータの設定項目以外の、画像形成装置３の有する設定項目（つまり、画像形成装置３のノンコアデータの設定項目リスト）およびそのデフォルト値を画像形成装置３の制御部３２から取得し、画像形成装置３用のノンコアデータを生成する。
【００７９】
また、例えば、設定値セット編集部７３は、コアデータの設定項目以外の、画像形成装置３の有する設定項目（つまり、画像形成装置３のノンコアデータの設定項目リスト）を画像形成装置３の制御部３２から取得し、この端末装置４に対するユーザ操作により各設定項目に対して指定された値から画像形成装置３用のノンコアデータを生成する。
【００８０】
設定値セット送信部７４は、ヘッダ４１とコアデータ４２とノンコアデータ４３とを画像形成装置３へ送信し書き込む処理部である。このコアデータ４２は、設定値セット取得部７２により取得されたものと同一であり、このヘッダ４１とノンコアデータ４３は、設定値セット取得部７２により取得されたものと同一か、あるいは、設定値セット編集部７３により生成されたものである。なお、設定値セット送信部７４は、ヘッダ４１とコアデータ４２とノンコアデータ４３とを画像形成装置３へ別々に書き込んでもよいし、それらを一括してまとめて書き込んでもよい。
【００８１】
次に、設定値セットの転送に関する上記システムにおける各装置の動作について説明する。図６は、実施の形態１における端末装置４による設定値セットの転送を説明するフローチャートである。
【００８２】
まず、転送管理部７１は、ネットワークインタフェース５３を使用して、ネットワーク２に接続されている画像形成装置を検索し、発見した画像形成装置（ここでは、画像形成装置１，３）のリストを表示装置５１に表示させ、入力装置５２に対するユーザ操作に従って、そのリストから、設定値セットの転送元となる画像形成装置（ここでは、画像形成装置１）と、転送先となる画像形成装置（ここでは、画像形成装置３）とを選択する（ステップＳ１，Ｓ２）。なお、このとき、転送管理部７１は、所定の条件（例えば所定の機種グループに属しているか否かなど）を満たす画像形成装置のみを検索するようにしてもよい。
【００８３】
次に、転送管理部７１は、転送元となる画像形成装置１から、プログラムリストを取得し、表示装置５１に表示させる。このとき、転送管理部７１は、ＳＮＭＰ（Simple Network Management Protocol）、ＨＴＴＰ（Hypertext Transfer Protocol）などの所定の通信プロトコルで画像形成装置１の制御部３２と通信し、制御部３２は、設定値セットリスト２２を読み出して転送管理部７１へ送信する。ユーザは、そのプログラムリストから設定値セットに対応するプログラム番号を選択する操作を入力装置５２に対して行う。転送管理部７１は、その操作を検出すると、その操作に従って、転送すべき設定値セットを選択する（ステップＳ３）。
【００８４】
また、転送管理部７１は、転送先となる画像形成装置３から、同様に、プログラムリストを取得し、表示装置５１に表示させる。このとき、転送管理部７１は、ＳＮＭＰ、ＨＴＴＰなどの所定の通信プロトコルで画像形成装置３の制御部３２と通信し、制御部３２は、設定値セットリスト２２を読み出して転送管理部７１へ送信する。ユーザは、そのプログラムリストから設定値セットの書込先となるプログラム番号を選択する操作を入力装置５２に対して行う。転送管理部７１は、その操作を検出すると、その操作に従って、転送すべき設定値セットの書込先を選択する（ステップＳ４）。
【００８５】
転送すべき設定値セットおよびその書込先が選択されると、転送管理部７１は、設定値セット取得部７２により、設定値セットデータ２１を取得させる。設定値セット取得部７２は、選択された設定値セットの設定値セットデータ２１を画像形成装置１から取得する（ステップＳ５）。そして、転送管理部７１は、設定値セットデータ２１が取得されると、設定値セット送信部７４により、そのうちのコアデータ４２を画像形成装置３に書き込む。設定値セット送信部７４は、取得された設定値セットデータ２１のうちのコアデータ４２を、画像形成装置３の制御部３２へ送信し画像形成装置３における選択された書込先に（つまり、書込先の設定値セットのコアデータとして）書き込む（ステップＳ６）。
【００８６】
次に、転送管理部７１は、画像形成装置３の制御部３２と通信し、画像形成装置３の機種識別情報を取得する。なお、転送管理部７１は、ステップＳ４においてプログラムリストとともに機種識別情報を取得するようにしてもよい。そして、転送管理部７１は、画像形成装置１から取得した設定値セットデータ２１のヘッダ４１から画像形成装置１の機種識別情報を取得し、それらの機種識別情報から、画像形成装置１および画像形成装置３が同一機種であるか否かを判定する（ステップＳ７）。
【００８７】
画像形成装置１および画像形成装置３が同一機種であると判定した場合、転送管理部７１は、設定値セット送信部７４により、ステップＳ６で書き込まれたコアデータ４２に対応するノンコアデータ４３を、画像形成装置３に書き込ませる。設定値セット送信部７４は、画像形成装置１から取得した設定値セットデータ２１のノンコアデータ４３を画像形成装置３の制御部３２へ送信し画像形成装置３における選択された書込先に（つまり、書込先の設定値セットのノンコアデータとして）書き込む（ステップＳ８）。
【００８８】
一方、画像形成装置１および画像形成装置３が同一機種ではないと判定した場合、転送管理部７１は、ユーザにより予め設定されている編集モードデータに基づいて、ユーザ操作に従ってノンコアデータを編集するか否かを判定する（ステップＳ９）。
【００８９】
ユーザ操作に従ってノンコアデータを編集しないと判定した場合、転送管理部７１は、設定値セット編集部７３により、画像形成装置３用のノンコアデータを自動的に生成させる。設定値セット編集部７３は、画像形成装置３の制御部３２から、画像形成装置３のノンコアデータの設定項目およびそのデフォルト値を取得し、取得した設定項目およびデフォルト値から画像形成装置３用のノンコアデータを生成する（ステップＳ１０）。
【００９０】
一方、ユーザ操作に従ってノンコアデータを編集すると判定した場合、転送管理部７１は、設定値セット編集部７３により、ユーザ操作に従って画像形成装置３用のノンコアデータを生成させる。設定値セット編集部７３は、画像形成装置３の制御部３２から、画像形成装置３のノンコアデータの設定項目リストおよび各設定項目の許容値情報（設定可能な選択肢、設定可能な値の上限および／または下限など）を取得し、取得したリスト内のそれぞれの設定項目について設定値を入力するための入力画面を表示装置５１に表示させ、入力装置５２に対するユーザ操作に従って許容値情報に適合する各設定項目の設定値を決定し、その後、その設定値を使用して画像形成装置３用のノンコアデータを生成する（ステップＳ１１）。
【００９１】
そして、ステップＳ１０またはステップＳ１１でノンコアデータが生成されると、転送管理部７１は、設定値セット送信部７４により、生成されたノンコアデータを、ステップＳ６で書き込まれたコアデータ４２に対応するノンコアデータとして、画像形成装置３に書き込ませる。設定値セット送信部７４は、生成されたノンコアデータを画像形成装置３の制御部３２へ送信し画像形成装置３における選択された書込先に（つまり、書込先の設定値セットのノンコアデータとして）書き込む（ステップＳ８）。
【００９２】
以上のように、上記実施の形態１によれば、設定値セットは、画像形成装置の機種に依存しない設定項目の設定値であるコアデータと、コアデータ以外の設定項目の設定値であるノンコアデータとを有する。そして、端末装置４は、画像形成装置１の設定値セットにおけるコアデータをそのまま画像形成装置３の設定値セットのコアデータとして書き込み、画像形成装置１の機種と画像形成装置３の機種とが同一である場合には、画像形成装置１の設定値セットにおけるノンコアデータをそのまま画像形成装置３の設定値セットのノンコアデータとして書き込み、画像形成装置１の機種と画像形成装置３の機種とが同一ではない場合には、コアデータの設定項目以外の、画像形成装置３の有する設定項目の値を有するノンコアデータを、画像形成装置３の設定値セットのノンコアデータとして書き込む。
【００９３】
これにより、コアデータについてはただちに転送先の画像形成装置へ書き込まれるため、画像形成装置間での設定値セットの転送を短時間で実行することができる。つまり、コアデータについては、転送元の機種と転送先の機種が異なっていても、設定項目について１つずつ整合性を判定しなくてもよいため、設定値セットの転送時間が短くなる。
【００９４】
実施の形態２．
【００９５】
本発明の実施の形態２に係る画像形成装置は、自己の有する設定値セットを他の画像形成装置へ転送し書き込む。つまり、本発明の実施の形態２に係る画像形成装置は、実施の形態１における端末装置４の機能と同様の機能を有する。
【００９６】
図７は、実施の形態２に係る画像形成装置を含む画像形成システムの構成を示す図である。図７に示すシステムでは、実施の形態２に係る画像形成装置１０１がネットワーク２に接続され、画像形成装置１０１から画像形成装置３へネットワーク２を介して直接、設定値セットが書き込まれる。
【００９７】
図８は、実施の形態２に係る画像形成装置１０１の構成を示す図である。
【００９８】
この画像形成装置１０１は、プリンタ１１１、スキャナ１１２、ファクシミリ装置１１３、操作パネル１１４、ネットワークインタフェース１１５、記憶装置１１６、および演算処理装置１１７を備える。プリンタ１１１、スキャナ１１２、ファクシミリ装置１１３、操作パネル１１４、ネットワークインタフェース１１５、記憶装置１１６、および演算処理装置１１７は、実施の形態１におけるプリンタ１１、スキャナ１２、ファクシミリ装置１３、操作パネル１４、ネットワークインタフェース１５、記憶装置１６、および演算処理装置１７とそれぞれ同様のものである。
【００９９】
また、記憶装置１１６における設定値セットデータ１２１および設定値セットリスト１２２も、実施の形態１における設定値セットデータ２１および設定値セットリスト２２と同様のものである。
【０１００】
ただし、この実施の形態では、演算処理装置１１７において、通信制御部１３１、制御部１３２、および設定値セットデータ生成部１３３の他、転送管理部１７１、設定値セット編集部１７３および設定値セット送信部１７４が実現される。
【０１０１】
通信制御部１３１、制御部１３２、および設定値セットデータ生成部１３３は、実施の形態１における通信制御部３１、制御部３２、および設定値セットデータ生成部３３と同様のものである。
【０１０２】
また、転送管理部１７１、設定値セット編集部１７３および設定値セット送信部１７４は、実施の形態１において端末装置４で実現された転送管理部７１、設定値セット編集部７３および設定値セット送信部７４と同様のものである。ただし、転送管理部１７１は、転送すべき設定値セットの設定値セットデータ１２１を記憶装置１１６から読み出す機能をさらに有する。つまり、転送管理部１７１は、転送管理部７１および設定値セット取得部７２に相当する機能を有する。
【０１０３】
次に、実施の形態２における設定値セットの転送について説明する。
【０１０４】
この実施の形態２では、図６に示すフローチャートに従って、転送管理部１７１、設定値セット編集部１７３および設定値セット送信部１７４が、実施の形態１の転送管理部７１、設定値セット取得部７２、設定値セット編集部７３および設定値セット送信部７４の代わりに動作する。このとき、実施の形態１の表示装置５１および入力装置５２の代わりに、操作パネル１１４がユーザインタフェースとして使用される。
【０１０５】
なお、転送元の画像形成装置をこの画像形成装置１０１に固定する場合には、ステップＳ１の処理を実行しなくてもよい。
【０１０６】
以上のように、上記実施の形態２によれば、画像形成装置１０１は、画像形成装置１０１の設定値セットにおけるコアデータをそのまま画像形成装置３の設定値セットのコアデータとして書き込み、画像形成装置１０１の機種と画像形成装置３の機種とが同一である場合には、画像形成装置１０１の設定値セットにおけるノンコアデータをそのまま画像形成装置３の設定値セットのノンコアデータとして書き込み、画像形成装置１０１の機種と画像形成装置３の機種とが同一ではない場合には、コアデータの設定項目以外の、画像形成装置３の有する設定項目の値を有するノンコアデータを、画像形成装置３の設定値セットのノンコアデータとして書き込む。
【０１０７】
これにより、コアデータについてはただちに転送先の画像形成装置へ書き込まれるため、画像形成装置間での設定値セットの転送を短時間で実行することができる。つまり、コアデータについては、転送元の機種と転送先の機種が異なっていても、設定項目について１つずつ整合性を判定しなくてもよいため、設定値セットの転送時間が短くなる。
【０１０８】
実施の形態３．
【０１０９】
本発明の実施の形態３に係る画像形成装置は、他の画像形成装置の有する設定値セットを取得し、自己の設定値セットとして登録する。つまり、本発明の実施の形態３に係る画像形成装置は、実施の形態１における端末装置４の機能と同様の機能を有する。
【０１１０】
図９は、実施の形態３に係る画像形成装置を含む画像形成システムの構成を示す図である。図９に示すシステムでは、実施の形態３に係る画像形成装置１０３がネットワーク２に接続され、画像形成装置１から画像形成装置１０３へネットワーク２を介して直接、設定値セットが取得され、画像形成装置１０３がその設定値セットを自らに書き込む。
【０１１１】
図１０は、実施の形態３に係る画像形成装置１０３の構成を示す図である。
【０１１２】
この画像形成装置１０３は、プリンタ２１１、スキャナ２１２、ファクシミリ装置２１３、操作パネル２１４、ネットワークインタフェース２１５、記憶装置２１６、および演算処理装置２１７を備える。プリンタ２１１、スキャナ２１２、ファクシミリ装置２１３、操作パネル２１４、ネットワークインタフェース２１５、記憶装置２１６、および演算処理装置２１７は、実施の形態１におけるプリンタ１１、スキャナ１２、ファクシミリ装置１３、操作パネル１４、ネットワークインタフェース１５、記憶装置１６、および演算処理装置１７とそれぞれ同様のものである。
【０１１３】
また、記憶装置２１６における設定値セットデータ２２１および設定値セットリスト２２２も、実施の形態１における設定値セットデータ２１および設定値セットリスト２２と同様のものである。
【０１１４】
ただし、この実施の形態では、演算処理装置２１７において、通信制御部２３１、制御部２３２、および設定値セットデータ生成部２３３の他、転送管理部２７１、設定値セット取得部２７２、および設定値セット編集部２７３が実現される。
【０１１５】
通信制御部２３１、制御部２３２、および設定値セットデータ生成部２３３は、実施の形態１における通信制御部３１、制御部３２、および設定値セットデータ生成部３３と同様のものである。
【０１１６】
また、転送管理部２７１、設定値セット取得部２７２、および設定値セット編集部２７３は、実施の形態１において端末装置４で実現された転送管理部７１、設定値セット取得部７２および設定値セット編集部７３と同様のものである。ただし、転送管理部１７１は、転送すべき設定値セットのプログラムリストへの登録（つまり、記憶装置２１６への設定値セットの書き込み）を行う機能をさらに有する。つまり、転送管理部２７１は、転送管理部７１および設定値セット送信部７４に相当する機能を有する。
【０１１７】
次に、実施の形態３における設定値セットの転送について説明する。
【０１１８】
この実施の形態３では、図６に示すフローチャートに従って、転送管理部２７１、設定値セット取得部２７２および設定値セット編集部２７３が、実施の形態１の転送管理部７１、設定値セット取得部７２、設定値セット編集部７３および設定値セット送信部７４の代わりに動作する。このとき、実施の形態１の表示装置５１および入力装置５２の代わりに、操作パネル２１４がユーザインタフェースとして使用される。
【０１１９】
なお、転送先の画像形成装置をこの画像形成装置１０３に固定する場合には、ステップＳ２の処理を実行しなくてもよい。
【０１２０】
以上のように、上記実施の形態３によれば、画像形成装置１０３は、画像形成装置１の設定値セットにおけるコアデータをそのまま自ら（画像形成装置１０３）の設定値セットのコアデータとして書き込み、画像形成装置１の機種と画像形成装置１０３の機種とが同一である場合には、画像形成装置１の設定値セットにおけるノンコアデータをそのまま自ら（画像形成装置１０３）の設定値セットのノンコアデータとして書き込み、画像形成装置１の機種と画像形成装置１０３の機種とが同一ではない場合には、コアデータの設定項目以外の、画像形成装置１０３の有する設定項目の値を有するノンコアデータを、自ら（画像形成装置１０３）の設定値セットのノンコアデータとして書き込む。
【０１２１】
これにより、コアデータについてはただちに転送先の画像形成装置へ書き込まれるため、画像形成装置間での設定値セットの転送を短時間で実行することができる。つまり、コアデータについては、転送元の機種と転送先の機種が異なっていても、設定項目について１つずつ整合性を判定しなくてもよいため、設定値セットの転送時間が短くなる。
【０１２２】
なお、上述の各実施の形態は、本発明の好適な例であるが、本発明は、これらに限定されるものではなく、本発明の要旨を逸脱しない範囲において、種々の変形、変更が可能である。
【０１２３】
例えば、上記各実施の形態では、コアデータ４２とともにヘッダ４１も転送先の画像形成装置へ書き込んでいるが、ヘッダ４１は、転送先の画像形成装置が自ら生成し書き込むようにしてもよい。
【０１２４】
また、上記各実施の形態では、コアデータ４２とともにノンコアデータ４３も転送先の画像形成装置へ書き込んでいるが、ノンコアデータ４３は、その値をデフォルト値として転送先の画像形成装置が自ら生成し書き込むようにしてもよい。
【０１２５】
また、上記各実施の形態において、設定値セットとともに、複数の機種グループを設定し、機種グループごとに異なるコアデータ４２の範囲（つまりコアデータ４２に属する設定項目）を予め設定しておき、転送元の画像形成装置から設定値セットデータ２１を読み出す際に、転送元の画像形成装置と転送先の画像形成装置の両方が属する機種グループを選択し、その機種グループに対応する設定項目の範囲でコアデータ４２を構成し、残りの設定項目でノンコアデータ４３を構成するようにしてもよい。
【０１２６】
また、上記各実施の形態において、デフォルト値を使用する旨の警告メッセージをステップＳ１０において表示するようにしてもよい。
【０１２７】
また、上記各実施の形態において、転送元および転送先の画像形成装置の有するオプション機能のリストを制御部３２から取得し、転送元の画像形成装置の機種と転送先の画像形成装置の機種とが同一であっても、転送元の画像形成装置の有するオプション機能を転送先の画像形成装置が有していない場合には、両者の機種が同一ではないと判断するようにしてもよい。これにより、オプション機能に関する設定項目の値がノンコアデータに含まれていても、設定値セットが適切に転送される。
【０１２８】
また、上記各実施の形態において、装置間のデータ通信を、ＷＳＤＬ（Web Service Description Language）で規定されたウェブサービスで実行するようにしてもよい。
【産業上の利用可能性】
【０１２９】
本発明は、例えば、イントラネットなどに、プリンタ、コピー機、複合機などの複数の画像形成装置が接続されているシステムにおいて、画像形成装置間の設定値セットの転送・複写に適用可能である。
【符号の説明】
【０１３０】
１  画像形成装置（第１の画像形成装置の一例，転送元画像形成装置の一例）
２  ネットワーク
３  画像形成装置（第２の画像形成装置の一例，転送先画像形成装置の一例）
４  端末装置
６１  設定値セット転送プログラム
１０１  画像形成装置
１０３  画像形成装置
１１６，２１６  記憶装置
１７１，２７１  転送管理部
１７４  設定値セット送信部
２７２  設定値セット取得部
【図１】
2011172116.tif 000003
【図２】
2011172116.tif 000004
【図３】
2011172116.tif 000005
【図４】
2011172116.tif 000006
【図５】
2011172116.tif 000007
【図６】
2011172116.tif 000008
【図７】
2011172116.tif 000009
【図８】
2011172116.tif 000010
【図９】
2011172116.tif 000011
【図１０】
2011172116.tif 000012